(57)【要約】      （修正有）【課題】簡便な構造で、初期消火担当者にとって分かりやすい用語で案内ができる音声案内式情報掲示板を提供する。【解決手段】音声案内式情報掲示板１００は、ベースプレート１１０、文字表示部１２０、タッチセンサ部１３０、音声案内部１４０を備えた構成であり、文字表示部１２０には「消火器の技術上の規格を定める省令に定められた規格用語の横にタッチセンサ部１３０の各タッチセンサ１３０ａ〜１３０ｌを配置しておき、利用者がタッチセンサ１３０ａ〜１３０ｌを触ったことを検出した場合、音声案内部１４０の対応する音声データ記憶部に記憶されている音声データがスピーカーから音声にて案内される。【選択図】図１
0003165882.tif 000002
【実用新案登録請求の範囲】
【請求項１】
法律により使用物に対する規格用語が定められている掲示板において、
前記規格用語を記載した文字表示部と、
前記文字表示部の規格用語の近くに配置したタッチセンサ部と、
利用者の前記タッチセンサ部の押下により音声案内を流す音声案内部を備え、
前記音声案内の内容が、前記規格用語について使用者に分かりやすい用語を用いた音声案内とした音声案内式情報掲示板。
【請求項２】
前記法律が消防関連の法規であり、前記使用物が消火器であり、前記規格用語の一つが「使用温度範囲」であり、前記音声案内の内容が「使用温度範囲」とは「消火器を設置できる温度範囲」のことであることを説明する内容を含むものであることを特徴とした請求項１に記載の音声案内式情報掲示板。
【請求項３】
前記文字表示部が、前記使用物に関する前記規格用語を用いた説明に加え、前記使用物の使用方法の説明を含み、
前記タッチセンサ部が、前記使用物の使用方法の近くにも配置され、
前記音声案内部による前記音声案内の内容が、前記規格用語について使用者に分かりやすい用語を用いた音声案内に加え、前記使用物の使用方法の音声案内も含むものである請求項１又は２に記載の音声案内式情報掲示板。
【考案の詳細な説明】
【技術分野】
【０００１】
本考案は、消火器のそばに掲げておく掲示板に関する。例えば、消火器の仕様や諸元の説明について、消火器の技術上の規格を定める省令（第38条、第44条）」など規制する法律により定められた規格用語のみだけではなく、小学生、中学生などの生徒や初期消火を行う先生等にとって分かりやすいように配慮された消火掲示板に関する。
【背景技術】
【０００２】
従来、小学校や中学校などの建物内、自動車専用道路などのトンネル内に設置される消火器には、持ち運び可能な可搬型の小型消火器２００自体の側面に銘板が貼付され、また、近くの壁面に案内掲示板が掲示されている。
このような小型消火器２００の案内掲示板１００には、消火器の仕様や諸元の説明や消火器の使用方法などが記載されているが、特に消火器の仕様や諸元に用いられる用語は「消火器の技術上の規格を定める省令（第38条、第44条）」など規制する法律により定められた規格用語を用いて記載されている。
【０００３】
「消火器の技術上の規格を定める省令（第38条、第44条）」など規制する法律により定められた規格用語を用いて製作された銘板や掲示板の一例としては、以下の項目が記載されている。
消火器の区別：粉末ＡＢＣ消火器
器種名      ：〇〇〇−１０型ＳＣ
適応火災    ：普通火災、油火災、電気火災
型式番号    ：消第〇〇〇〇〇号
消火能力単位：Ａ−１，Ｂ−７
放射時間    ：約１５秒（２０℃）
放射距離    ：３〜７ｍ
★使用温度範囲：−２０＋４０℃
薬剤重量    ：３．０ｋｇ
総重量      ：５．３ｋｇ
製造番号    ：〇〇〇〇〇
製造年      ：２０１０
使用方法    ：〇〇〇〇〇
【０００４】
上記の規格用語を用いて製作された銘板や掲示板は法律で定められているため、どの消火器用銘板やどの消火器用掲示板においても同じ規格用語にて表示されている。なお、特に★マークを付けた「使用温度範囲」の用語が難しいものとなっていることが分かる。
【０００５】
従来技術における消火器用銘板や消火器用掲示板では、表示する内容については特に工夫がなく、火災時の煙の中でも表示する内容が視認しやすいように警告ランプを併設する工夫を開示したものがあった。
【０００６】
例えば、特許文献１である実用新案登録第３０２９８５８号には、図７に示すように、消火器を載せる台座と、この台座に植立固定された支柱と、この支柱の先端部に取り付け固定された消火器案内表示板と、この表示板の一部に取り付けられた視認灯とで構成され、上記視認灯の駆動手段およびその直流電源が上記台座に収納され、上記視認灯によって上記消火器案内表示板を遠隔から視認できるようにしたことを特徴とする視認灯付き消火器案内表示装置が開示されている。
【０００７】
また、例えば、特許文献２である実開平０５−１１９５６号に開示された消火器の銘板は、図８に示すように、点字を伴うものとなっており、健常者は銘板の内容を目で読むことができ、視覚障害者は銘板の内容を点字で読むことができるような工夫が開示されている。
【０００８】
【非特許文献１】「消火器の技術上の規格を定める省令（第38条、第44条）」
【特許文献１】実用新案登録第３０２９８５８号公報
【特許文献２】実開平０５−１１９５６号公報
【考案の開示】
【考案が解決しようとする課題】
【０００９】
上記従来の消火器の案内掲示板は、視認性を高めるなどの工夫がなされていたり、視覚障害者でも読めるように点字が伴っているなどの工夫がなされているが、肝心の表示内容そのものは「消火器の技術上の規格を定める省令（第38条、第44条）」に定める規格用語を用いて書かれているため、初期消火にあたる一般人には分かりにくいものとなっていた。特に小学校や中学校では初期消火に小学生や中学生等の生徒自身が担うこともあり得るが、規格用語は難解で分かりにくいという問題がある。
【００１０】
典型的には以下の事実を指摘できる。
平成１４年１０月１日、長崎港内にある造船所の岸壁で、内装工事中の世界最大級の豪華客船「ダイヤモンド・プリンセス（約１１３,０００トン）」から出火し、激しく炎と煙を上げながら客室最上階まで次々と延焼する中、出火当時船内にいた約１０００人の作業員らは全員無事に退避したという事故があった。
【００１１】
発明者猪子昭二は、この事故において内装が全焼するに至った原因の一つとして、持ち運び式の小型消火器を用いた初期消火に失敗したために全焼したと考えた。ここで、初期消火に失敗した理由としては以下の可能性がある。
第１の可能性は、初期消火を行おうとした者がいなかった。
第２の可能性は、初期消火を行おうとした者がいたが、持ち運び式の小型消火器の取り扱い熟知者がおらず、消火器の案内掲示板の規格用語が分からず内容が理解できなかった。
上記の２つの可能性を考えると、特に約１０００人の作業員らもいたこともあり、おそらく第２の可能性が高い。
【００１２】
発明者猪子昭二は、消火器の案内掲示板の規格用語が分かりやすいものであるか否かを確認すべく近くの消防署に確認に行ったところ、特に「使用温度範囲−２０〜＋４０℃」の意味については応対した消防署員も明確には分からないという結果であった。たとえ一部の消防署員であったとしても必ずしも容易には分からない用語が含まれていることから見て、一般人である作業員が、一部の規格用語は分からなかったために初期消火に失敗した事実もうなずける。
【００１３】
ここで、学校等の施設における消火器使用を考えると、初期消火にあたる小学生や中学生等の学生や先生などにとって一部の規格用語は分からないことは明らかであり、初期消火に失敗してしまい火災が大きくなるという問題が発生する。
しかし、その一方で、「消火器の技術上の規格を定める省令（第38条、第44条）」に定める規格用語を用いた掲示内容とせざるをえない。
【００１４】
本考案は、上記従来の問題点に鑑み案出されたものであって、「消火器の技術上の規格を定める省令（第38条、第44条）」を遵守しつつ、簡便な構造で、初期消火担当者にとって分かりやすい用語で案内ができる音声案内式情報掲示板を提供することを目的とする。
【課題を解決するための手段】
【００１５】
上記目的を達成するため、本考案の音声案内式情報掲示板は、法律により使用物に対する規格用語が定められている掲示板において、前記規格用語を記載した文字表示部と、前記文字表示部の規格用語の近くに配置したタッチセンサ部と、利用者の前記タッチセンサ部の押下により音声案内を流す音声案内部を備え、前記音声案内の内容が、前記規格用語について使用者に分かりやすい用語を用いた音声案内とした音声案内式情報掲示板である。
【００１６】
本考案の音声案内式情報掲示板の使用物は特に限定されないが、特に消火器について適用することもできる。例えば、上記構成において、前記法律が消防関連の法規であり、前記使用物が消火器であり、前記規格用語の一つが「使用温度範囲」であり、前記音声案内の内容が「使用温度範囲」とは「消火器を設置できる温度範囲」のことであることを説明する内容を含むものであることが好ましい。
【００１７】
なお、音声案内式情報掲示板には規格用語以外にも消火器の使用方法についても案内されることが好ましい。つまり、上記構成の音声案内式情報掲示板において、前記文字表示部が、前記使用物に関する前記規格用語を用いた説明に加え、前記使用物の使用方法の説明を含み、前記タッチセンサ部が、前記使用物の使用方法の近くにも配置され、前記音声案内部による前記音声案内の内容が、前記規格用語について使用者に分かりやすい用語を用いた音声案内に加え、前記使用物の使用方法の音声案内も含むものであることが好ましい。
【考案の効果】
【００１８】
本考案の音声案内式情報掲示板は、「消火器の技術上の規格を定める省令（第38条、第44条）」を遵守しつつ、簡便な構造で、学生や先生など初期消火担当者にとって分かりやすく音声により消火器に関する情報が案内ができる。
【考案を実施するための最良の形態】
【００１９】
以下、図面を参照しつつ、本考案の音声案内式情報掲示板の実施形態を説明する。ただし、本考案の技術的範囲は以下の実施形態に示した具体的な用途や形状・寸法などには限定されない。
【実施例１】
【００２０】
実施例１として本考案の音声案内式情報掲示板の構成例を示す。ここでは一例として消火器２００のそばに掲示する消火器用の音声案内式情報掲示板１００を示す。
【００２１】
なお、ここで説明に用いる消火器２００は、持ち運び型の小型消火器として広く普及している加圧式粉末消火器とし、容器の中には消火薬剤と炭酸ガスボンベが充填されているタイプとするが、本考案は加圧式粉末消火器に限らず、多様なタイプの消火器に適用できる。
この加圧式粉末消火器２００は、上部のレバーを握ると、ボンベの中の炭酸ガスが容器の中に充満して、その圧力で消火薬剤が噴出する仕組みとなっている。
【００２２】
図１は本考案にかかる消火器用の音声案内式情報掲示板１００の構成例を示す図である。
図２は本考案にかかる消火器用の音声案内式情報掲示板１００の簡単な電気回路図である。
図１に示すように、音声案内式情報掲示板１００は、ベースプレート１１０、文字表示部１２０、タッチセンサ部１３０、音声案内部１４０を備えた構成となっている。
【００２３】
ベースプレート１１０は、硬質プラスチック板や金属板など、ある程度の構造強度を備えた板材である。その表面には利用者に可読となるように文字表示部１２０が設けられる。音声案内式情報掲示板１００が消火器２００近くの壁面に掛ける場合であれば、ベースプレート１１０は平面状のものとなる。また、音声案内式情報掲示板１００が消火器２００に銘板として巻き付けるタイプであれば、ベースプレート１１０は曲面状のものとなる。
【００２４】
文字表示部１２０は、消火器に関する必要な情報を文字や図により表示する部分であり、「消火器の技術上の規格を定める省令（第38条、第44条）」など規制する法律により定められた規格用語を用いて説明されている。
【００２５】
例えば、文字表示部１２０の一例としては、図１に示すように、以下の１３個の項目が記載されている。
消火器の区別：粉末ＡＢＣ消火器
器種名      ：〇〇〇−１０型ＳＣ
適応火災    ：普通火災、油火災、電気火災
型式番号    ：消第〇〇〇〇〇号
消火能力単位：Ａ−１，Ｂ−７
放射時間    ：約１５秒（２０℃）
放射距離    ：３〜７ｍ
使用温度範囲：−２０＋４０℃
薬剤重量    ：３．０ｋｇ
総重量      ：５．３ｋｇ
製造番号    ：〇〇〇〇〇
製造年      ：２０１０
使用方法    ：〇〇〇〇〇
ここで、文字表示部１２０の表示においては、上記規格用語のうち、特に「使用温度範囲：−２０＋４０℃」の意味が明確には分かりにくいものとなっている。
【００２６】
タッチセンサ部１３０は、文字表示部１２０の各規格用語の近辺に設けられており、利用者の手などが接触したか否かを検出するセンサとなっている。利用者の手などが接触したことで検出信号を発する。タッチセンサ１３０は市場において入手可能なもので良い。
この例では、タッチセンサ部１３０は、文字表示部１２０の１３個の規格用語に対応して１３個のタッチセンサ１３０ａ〜１３０ｍが設けられた例となっている。
【００２７】
次に、音声案内部１４０は、タッチセンサ部１３０からの検出信号を受け、該当する文字表示部１２０の規格用語についての説明を音声出力する部分である。出力する音声は肉声による朗読を録音した音声データを再生するものでも良く、電子的に合成した合成音による音声データを再生するものでも良い。
【００２８】
ここで、音声案内部１４０による文字表示部１２０の規格用語についての説明は、文字表示部１２０に文字や図形で記載された内容をそのまま朗読するのみではなく、利用者にとって分かりやすい言葉も添えて案内するものとなっている。
例えば、「使用温度範囲」横にあるタッチセンサ１３０ｈを押下すると次のような内容の音声が出力される。『使用温度範囲は−２０＋４０℃です。「使用温度範囲」とは「消火器を設置できる温度範囲」という意味です。つまり「設置温度範囲」のことでありこの消火器を設置しておいても良い室温のことです。この消火器は温度が−２０℃から４０℃の間である場所に設置してください。』
【００２９】
このように、利用者が分かりにくい規格用語の横に設けられているタッチセンサ部１３０の各タッチセンサ１３０ａから１３０ｍに触れることにより、それら規格用語について使用者に分かりやすい用語を用いた音声案内を提供する、おのとなっている。
【００３０】
図２は簡単に本考案にかかる音声案内式情報掲示板１００の電気回路を示した回路図であるが、電気回路はこの例に限らず同様の機能を発揮するように構成された他の多様な電気回路も可能である。この例では、タッチセンサ部１３０は複数のタッチセンサ１３１を備え、各々のタッチセンサ１３０ａからタッチセンサ１３０ｍのいずれかに利用者がタッチすれば、タッチセンサ部１３０から検出信号ａから検出信号ｍのいずれかがタッチセンサ部１３０において処理され、検出信号として出力される。タッチセンサ部１３０から出力された検出信号は制御部１５０（図１には図示していない）を介して音声案内部１４０に入力され、音声案内部１４０は検出信号ａから検出信号ｍを受け、音声データ記憶部１４１において検出信号ａから検出信号ｍに対応する音声データａ〜音声データｍを選択してスピーカー１４２に電気信号を出力する。スピーカー１４２は電気信号に従って音声を出力する。
【００３１】
図３は、使用時に流れるアナウンスの一例である。この例では図３に示すように規格用語「使用温度範囲」をタッチすることによりスピーカー１４２から音声案内にて『使用温度範囲は−２０＋４０℃です。「使用温度範囲」とは「消火器を設置できる温度範囲」という意味です。つまり、この消火器を設置しておいても良い室温のことです。この消火器は温度が−２０℃から４０℃の間である場所に設置してください。』という案内が流れる。
【実施例２】
【００３２】
実施例２は、実施例１に示した文字表示部１２０が、使用物に関する規格用語を用いた説明に加え、使用物の使用方法の説明を含んでいる場合の例である。
実施例１と同様、消火器用の消火器のそばに掲げる消火器用の音声案内式情報掲示板の例を示す。
【００３３】
図４は実施例２にかかる消火器用の音声案内式情報掲示板１００ａの構成例を示す図である。
電気回路図については図２と基本構造は変わらないのでここでは省略する。
【００３４】
実施例２の音声案内式情報掲示板１００ａでは、タッチセンサ部１３０の一つとして、「消火器の使用方法」の表示欄の近くにもタッチセンサ１３０ｎが配置された構成となっている。
音声案内部１４０による音声案内の内容が、規格用語について使用者に分かりやすい用語を用いた音声案内に加え、消火器の使用方法の音声案内も含むものとなっている。
【００３５】
例を挙げて説明する。この例では、「消火器の使用方法」の表示欄は３つのステップにより説明されている。
図５は「消火器の使用方法」の表示欄のステップ１にあたる「安全ピンの引き抜き操作」の音声案内を流す様子を示す図、図６は「消火器の使用方法」の表示欄のステップ２にあたる「ノズル操作」の音声案内を流す様子を示す図、図７は、「消火器の使用方法」の表示欄のステップ３にあたる「消火薬剤の噴霧操作」の音声案内を流す様子を示す図である。
【００３６】
まず、図４において、「消火器の使用方法」の表示欄の近くに設けられたタッチセンサ１３０ｎを利用者が触れたとする。
タッチセンサ１３０ｎを利用者が触れると、図５に示すように、まず、「消火器の使用方法」の表示欄のステップ１にあたる「安全ピンの引き抜き操作」について音声案内が始まる。例えば、「まず、レバーの上にある安全ピンの輪に指を掛けて上に引き抜いてください。」という音声案内が流れる。
【００３７】
次に、図６に示すように、「消火器の使用方法」の表示欄のステップ２にあたる「ノズル操作」の案内を音声により流す。例えば、「ホースの先のノズルを消火器から外して、ノズルを火元に向けてください。」という音声案内が流れる。
【００３８】
次に、図７に示すように、「消火器の使用方法」の表示欄のステップ３にあたる「消火薬剤の噴霧操作」の案内を音声により流す。例えば「ノズルを火元に向けたまま、レバーを強く握ってください。」という音声案内が流れる。
利用者が音声案内に従ってレバーを握ることにより、ボンベの中の炭酸ガスが容器の中に充満して、その圧力で消火薬剤が噴出し、火元に消火薬剤がかかり、初期消火を行うことができる。
このように、消火器を使用する手順を音声案内に従って行うことができる。
【００３９】
以上、本考案の音声案内式情報掲示板における好ましい実施例を図示して説明してきたが、本考案の技術的範囲を逸脱することなく種々の変更が可能であることは理解されるであろう。
【産業上の利用可能性】
【００４０】
本考案は小学校や中学校などの学校など建物において設置される持ち運び可能な小型消火器の掲示板などに対して広く適用することができる。
【図面の簡単な説明】
【００４１】
【図１】本考案にかかる消火器用の音声案内式情報掲示板１００の構成例を示す図
【図２】本考案にかかる消火器用の音声案内式情報掲示板１００の電気回路を簡単に示した電気回路図
【図３】「使用温度範囲」の説明の音声案内が流れる様子を示す図
【図４】実施例２にかかる消火器用の音声案内式情報掲示板１００ａの構成例を示す図
【図５】「消火器の使用方法」の表示欄のステップ１にあたる「安全ピンの引き抜き操作」の音声案内を流す様子を示す図
【図６】「消火器の使用方法」の表示欄のステップ２にあたる「ノズル操作」の音声案内を流す様子を示す図
【図７】「消火器の使用方法」の表示欄のステップ３にあたる「消火薬剤の噴霧操作」の音声案内を流す様子を示す図
【図８】従来技術の実用新案登録第３０２９８５８号公報の抜粋図
【図９】従来技術の実開平０５−１１９５６号公報の抜粋図
【符号の説明】
【００４２】
１００  音声案内式情報掲示板
１１０  ベースプレート
１２０  文字表示部
１３０  タッチセンサ部
１４０  音声案内部
１４１  音声データ記憶部
１４２  スピーカー
【図１】
0003165882.tif 000003
【図２】
0003165882.tif 000004
【図３】
0003165882.tif 000005
【図４】
0003165882.tif 000006
【図５】
0003165882.tif 000007
【図６】
0003165882.tif 000008
【図７】
0003165882.tif 000009
【図８】
0003165882.tif 000010
【図９】
0003165882.tif 000011